(57)【要約】【課題】レシートを利用して顧客が購入した商品の情報を提供可能とする。【解決手段】レシート２３上にマイクロバーコード２４を付加しておく。このマイクロバーコード２４は顧客別商品購入情報を掲載したホームページにアクセスするためのアクセス情報であり、バーコードリーダ１７によって読み取ることができる。このバーコードリーダ１７にて読み取ったアクセス情報に基づいてユーザ端末１６からサーバ１３に対してアクセスすると、その顧客が購入した商品の購入情報を掲載したホームページがユーザ端末１６の画面上に表示される。これにより、顧客は自分の購入した商品の購入情報を得ることができ、必要に応じて当該商品の購入情報をダウンロードして家計簿の作成などに利用できる。【選択図】　　図１
2004054434.tif 000002
【特許請求の範囲】
【請求項１】
商品購入者である顧客の情報と共にその顧客が購入した商品の情報を管理しておくと共に、上記顧客情報および上記商品情報に基づいて顧客別の商品購入情報を掲載したホームページを作成し、
顧客が商品の代金を支払ったときに上記ホームページにアクセスするための特定の情報が付加されたレシートを発行し、
上記レシート上の特定の情報を情報読取り機器によって読み取り、顧客の端末装置から上記特定の情報に基づいてアクセスすることで、上記ホームページを上記端末装置に表示させて顧客が購入した商品の購入情報を提供するようにしたことを特徴とする商品の購入情報提供方法。
【請求項２】
予め顧客の年齢、性別などが記録された記録媒体を各顧客毎にそれぞれ配布しておき、顧客が商品を購入する際に提示した上記記録媒体から当該顧客に関する情報を読み取るようにしたことを特徴とする請求項１記載の商品の購入情報提供方法。
【請求項３】
上記ホームページにアクセスするための特定の情報は、バーコードの形態で上記レシートの所定の位置に付加されており、
上記情報読取り機器は、上記端末装置に接続されるバーコードリーダからなり、このバーコードリーダによって上記特定の情報を読み取るようにしたことを特徴とする請求項１記載の商品の購入情報提供方法。
【請求項４】
商品購入者である顧客の情報と共にその顧客が購入した商品の情報を管理する管理手段と、
この管理手段によって管理された上記顧客情報および上記商品情報に基づいて顧客別の商品購入情報を掲載したホームページを作成するホームページ作成手段と、
顧客が商品の代金を支払ったときに上記ホームページにアクセスするための特定の情報が付加されたレシートを発行するレシート発行手段と、
このレシート発行手段によって発行された上記レシート上の特定の情報を読み取る特定情報読取り手段と、
この特定情報読取り手段によって読み取られた上記特定の情報に基づいて顧客の端末装置からアクセスがあったときに、顧客が購入した商品の購入情報を掲載したホームページを上記端末装置に表示させて情報提供を行う情報提供手段と
を具備したことを特徴とする商品の購入情報提供システム。
【請求項５】
予め顧客の年齢、性別などが記録された記録媒体と、
顧客が商品を購入する際に提示した上記記録媒体から当該顧客に関する情報を読み取る顧客情報読取り手段と
を具備したことを特徴とする請求項４記載の商品の購入情報提供システム。
【請求項６】
上記レシート発行手段は、上記ホームページにアクセスするための特定の情報をバーコードの形態で上記レシートの所定の位置に付加して発行し、
上記特定情報読取り手段は、上記端末装置に接続されるバーコードリーダからなり、このバーコードリーダによって上記特定の情報を読み取ることを特徴とする請求項４記載の商品の購入情報提供システム。
【請求項７】
顧客が商品の代金を支払ったときに受け取るレシートであって、
顧客別の商品の購入情報が掲載されたホームページにアクセスするための特定の情報が付加されていることを特徴とするレシート。
【請求項８】
上記ホームページにアクセスするための特定の情報は、バーコードの形態で上記レシートの所定の位置に付加されていることを特徴とする請求項７記載のレシート。
【発明の詳細な説明】
【０００１】
【発明の属する技術分野】
本発明は、例えばコンビニエンスストアなどの各店舗にて販売されている商品を顧客が購入した際に、その購入した商品に関する情報を提供するための購入情報提供方法、情報提供システム及びレシートに関する。
【０００２】
【従来の技術】
例えばコンビニエンスストアなどの各店舗では、雑誌、雑貨、食料品などの様々な商品が販売されており、顧客がこれらの商品をレジを通して購入した場合に、各商品の金額などが列記されたレシートが発行されて商品と共に顧客に手渡されるのが一般的である。
【０００３】
また、通常、この種の各店舗にはＰＯＳ（ｐｏｉｎｔ　ｏｆ　ｓａｌｅｓ）システムが導入されており、商品別の売上高などが各店舗に設置されたＰＯＳ端末に接続されたホストコンピュータによって一元管理されている。
【０００４】
【発明が解決しようとする課題】
上述したように、商品を購入すると、レジにてレシートが発行されるのが一般的である。しかしながら、この種のレシートには、単に購入した商品の種類（商品名）とその価格が印刷されているだけである。このため、例えば家計簿を付けるような場合に、その都度、レシートを見ながら購入商品に関する情報を家計簿帳に書き写していくといったような面倒な作業が必要であり、非常に手間がかかっていた。
【０００５】
一方、各店舗にて商品を販売している企業側では、各店舗でどのような商品がどのくらい売れたかなどの商品別の売上データを取ることができても、顧客別にどのような商品が売れているかなどのデータは取ることができなかった。
【０００６】
本発明は上記のような点に鑑みなされたもので、レシートを利用して顧客が購入した商品の情報を提供可能とし、また、顧客別に商品の販売状況を把握することのできる商品の購入情報提供方法、購入情報提供システム及びレシートを提供することを目的とする。
【０００７】
【課題を解決するための手段】
本発明の請求項１に係る購入情報提供方法は、商品購入者である顧客の情報と共にその顧客が購入した商品の情報を管理しておくと共に、上記顧客情報および上記商品情報に基づいて顧客別の商品購入情報を掲載したホームページを作成し、顧客が商品の代金を支払ったときに上記ホームページにアクセスするための特定の情報が付加されたレシートを発行し、上記レシート上の特定の情報を情報読取り機器によって読み取り、顧客の端末装置から上記特定の情報に基づいてアクセスすることで、上記ホームページを上記端末装置に表示させて顧客が購入した商品の購入情報を提供するようにしたことを特徴とする。
【０００８】
このような構成の商品の購入情報提供方法によれば、顧客が商品を購入した際に発行されるレシート上にホームページにアクセスするための特定の情報が付加される。顧客側では、このレシート上の特定の情報を情報読取り機器によって読み取り、端末装置から上記特定の情報に基づいてアクセスすることで、その顧客が購入した商品の購入情報が掲載されたホームページを閲覧でき、必要に応じて当該商品の購入情報をダウンロードして家計簿の作成などに利用できる。一方、商品を販売する企業側では、顧客が商品を購入したときに、その顧客の情報とその顧客が購入した商品の情報を管理しておくことで、顧客別に商品の販売状況を把握することができ、販売促進に役立てることができる。
【０００９】
また、本発明の請求項２は、上記請求項１記載の商品の購入情報提供方法において、予め顧客の年齢、性別などが記録された記録媒体を各顧客毎にそれぞれ配布しておき、顧客が商品を購入する際に提示した上記記録媒体から当該顧客に関する情報を読み取るようにしたことを特徴とする。
【００１０】
このような構成の商品の購入情報提供方法によれば、顧客が商品を購入する際にその顧客の年齢、性別などが記録された記録媒体を提示させることで、その記録媒体から当該顧客に関する情報を読み取って、その顧客が購入した商品の情報と共に管理できるようになる。
【００１１】
また、本発明の請求項３は、上記請求項１記載の商品の購入情報提供方法において、上記ホームページにアクセスするための特定の情報は、バーコードの形態で上記レシートの所定の位置に付加されており、上記情報読取り機器は、上記端末装置に接続されるバーコードリーダからなり、このバーコードリーダによって上記特定の情報を読み取るようにしたことを特徴とする。
【００１２】
このような構成の商品の購入情報提供方法によれば、ホームページにアクセスするための特定の情報をバーコードの形態でレシートに付加しておくことで、レシートの限られた紙面を利用して情報を記録しておくことができ、このレシート上の特定の情報をバーコードリーダによって読み取ることで端末装置からホームページにアクセスすることができる。
【００１３】
本発明の請求項４に係る商品の購入情報提供システムは、商品購入者である顧客の情報と共にその顧客が購入した商品の情報を管理する管理手段と、この管理手段によって管理された上記顧客情報および上記商品情報に基づいて顧客別の商品購入情報を掲載したホームページを作成するホームページ作成手段と、顧客が商品の代金を支払ったときに上記ホームページにアクセスするための特定の情報が付加されたレシートを発行するレシート発行手段と、このレシート発行手段によって発行された上記レシート上の特定の情報を読み取る特定情報読取り手段と、この特定情報読取り手段によって読み取られた上記特定の情報に基づいて顧客の端末装置からアクセスがあったときに、顧客が購入した商品の購入情報を掲載したホームページを上記端末装置に表示させて情報提供を行う情報提供手段とを具備したことを特徴とする。
【００１４】
このような構成の商品の購入情報提供システムによれば、顧客が商品を購入した際に、特定の情報が付加されたレシートが発行される。上記特定の情報は、顧客別の商品購入情報が掲載されたホームページをアクセスするための情報である。顧客側では、このレシート上の特定の情報を専用の機器によって読み取り、端末装置から上記特定の情報に基づいてアクセスすることで、その顧客が購入した商品の購入情報が掲載されたホームページを閲覧でき、必要に応じて当該商品の購入情報をダウンロードして家計簿の作成などに利用できる。一方、商品を販売する企業側では、顧客が商品を購入したときに、その顧客の情報とその顧客が購入した商品の情報を管理しておくことで、顧客別に商品の販売状況を把握することができ、販売促進に役立てることができる。
【００１５】
また、本発明の請求項５は、上記請求項４記載の商品の購入情報提供システムにおいて、予め顧客の年齢、性別などが記録された記録媒体と、顧客が商品を購入する際に提示した上記記録媒体から当該顧客に関する情報を読み取る顧客情報読取り手段とを具備したことを特徴とする。
【００１６】
このような構成の商品の購入情報提供システムによれば、予め顧客の年齢、性別などが記録された記録媒体を各顧客毎に配布しておくことで、顧客が商品を購入する際に提示した記録媒体から当該顧客に関する情報を読み取って、その顧客が購入した商品の情報と共に管理できるようになる。
【００１７】
また、本発明の請求項６は、上記請求項４記載の商品の購入情報提供システムにおいて、上記レシート発行手段は、上記ホームページにアクセスするための特定の情報をバーコードの形態で上記レシートの所定の位置に付加して発行し、上記特定情報読取り手段は、上記端末装置に接続されるバーコードリーダからなり、このバーコードリーダによって上記特定の情報を読み取ることを特徴とする。
【００１８】
このような構成の商品の購入情報提供システムによれば、ホームページにアクセスするための特定の情報をバーコードの形態でレシートに付加しておくことで、レシートの限られた紙面を利用して情報を記録しておくことができ、このレシート上の特定の情報をバーコードリーダによって読み取ることで端末装置からホームページにアクセスすることができる。
【００１９】
本発明の請求項７に係るレシートは、顧客が商品の代金を支払ったときに受け取るレシートであって、顧客別の商品の購入情報が掲載されたホームページにアクセスするための特定の情報が付加されていることを特徴とする。
【００２０】
このような構成のレシートによれば、顧客別の商品の購入情報が掲載されたホームページにアクセスするための特定の情報が付加されているので、顧客はその特定の情報に基づいて端末装置から上記ホームページにアクセスすることで、商品の購入情報を得ることができる。
【００２１】
また、本発明の請求項８は、上記請求項７記載のレシートにおいて、上記ホームページにアクセスするための特定の情報は、バーコードの形態で上記レシートの所定の位置に付加されていることを特徴とする。
【００２２】
このような構成のレシートによれば、顧客別の商品の購入情報が掲載されたホームページにアクセスするための特定の情報がバーコードの形態で付加されている。したがって、レシートの限られた紙面を利用して情報を記録しておくことができ、このレシート上の特定の情報をバーコードリーダによって読み取り、端末装置からホームページにアクセスすることで、商品の購入情報を得ることができる。
【００２３】
【発明の実施の形態】
以下、図面を参照して本発明の一実施形態を説明する。
【００２４】
図１は本発明の一実施形態に係る商品の購入情報提供システムの構成を示す図であり、例えばコンビニエンスストア等の各店舗で販売されている商品を顧客が購入した際に、そのときに購入した商品に関する情報を顧客に対して提供する場合のシステム構成が示されている。
【００２５】
図１に示すように、本システムは、ＰＯＳ端末１１、このＰＯＳ端末１１に接続されるレシート発行機１２、ＰＯＳ端末１１にネットワークＮ１を介して接続されるサーバ１３、このサーバ１３に設けられたデータベース（ＤＢ）１４、バーコード変換テーブル１５、そして、ユーザ端末１６と、このユーザ端末１６に接続されるバーコードリーダ１７を備える。
【００２６】
ＰＯＳ端末１１は、店舗内に設置された端末装置であって、図示せぬＣＰＵ、ＲＯＭ、ＲＡＭなどを備えた汎用のコンピュータによって構成される。なお、図１ではＰＯＳ端末１１が１つしか図されていないが、実際には各店舗毎に少なくとも１台ずつ設置されており、これらの端末がネットワークＮ１を介してサーバ１３に接続されている。
【００２７】
ここで、本実施形態において、ＰＯＳ端末１１には、顧客がレジに提示したＩＤカード２１から顧客情報を読み取る機能と、顧客が購入対象としてレジに提示した商品２２の情報を読み取る機能が備えられると共に、これらの読取り機能によって読み取られた顧客情報および商品情報をネットワークＮ１を介してサーバ１３に送信する機能が備えられている。
【００２８】
ＩＤカード２１は、顧客毎に固有の情報が記録された識別用カードであって、例えば磁気カードやＩＣカードなどの記録媒体からなり、各店舗にて顧客が所定の手続きを行うことで発行される。このＩＤカード２１に記録される顧客情報には、ＩＤ情報の他、例えば年齢、性別、職業といったマーケティングに必要な情報が含まれる。なお、上記マーケティングに必要な情報はＰＯＳ端末１１あるいはサーバ１３側で管理しておき、顧客に与えたＩＤ情報のみをＩＤカード２１に記録しておくことでも良い。また、このＩＤカード２１が代金の支払いを兼ねるようにしても良い。各店舗には、このようなＩＤカード２１に記録された顧客情報を読み取るためのカードリーダが設置されており、そのカードリーダはＰＯＳ端末１１に接続されている。
【００２９】
また、商品２２とは、各店舗に販売目的で陳列された商品のことであり、例えば雑誌や雑貨の他、飲料水、食料品、衣料品、家電品などの様々であり、本発明ではこれらの商品種類を特に限定するものではない。これらの商品２２には、そのパッケージなどにバーコードが付されており、そのバーコードには少なくとも商品種類（商品名）と価格を含む商品情報が記録されているものとする。各店舗には、このような商品に付けられたバーコードを読み取るためのバーコードリーダが設置されており、そのバーコードリーダはＰＯＳ端末１１に接続されている。
【００３０】
レシート発行機１２は、ＰＯＳレジのレジスタに組み込まれており、顧客がレジにて商品の代金を支払ったときに、そのときの商品の金額が記入された紙片であるレシート２３を発行する。このレシート２３には、図２に示すように顧客が代金を支払って購入した商品の種類とその金額などが印刷されていると共に、マイクロバーコード２４が印刷されている。
【００３１】
マイクロバーコード２４は、サーバ１３が提供しているホームページ（顧客別に商品の購入情報が掲載されたホームページ）にアクセスするためのアクセス情報であって、本実施形態では、そのホームページのＵＲＬ（Ｕｎｉｆｏｒｍ　Ｒｅｓｏｕｒｃｅ　Ｌｏｃａｔｏｒ）に対応した識別コードを表している。この識別コードは、マイクロバーコード２４として記録可能な所定桁数分のコードデータからなる。このように、ホームページにアクセスするために必要な実際のＵＲＬをバーコードの形態でレシート２３に記録しておくのはではなく、そのＵＲＬに対応する識別コードをバーコードの形態でレシート２３に記録しておくことで、マイクロバーコード２４として記録容量の削減化を図っている。
【００３２】
一方、サーバ１３は、ＰＯＳシステムのホストコンピュータとして各店舗を統括管理し、これらの店舗に設置されたＰＯＳ端末１１から送られている商品毎の売上の収集、蓄積、分析などを行うと共に、ここでは顧客別に商品の購入情報を提供する情報提供用サーバとしての機能を備える。なお、このサーバ１３は、図示せぬＣＰＵ、ＲＯＭ、ＲＡＭなどを備えた汎用のコンピュータからなり、ＣＰＵがＲＯＭなどに記録されたプログラムを読み込むことにより、そのプログラムに記述された手順に従って処理を実行する。
【００３３】
上記サーバ１３には、データベース１４とバーコード変換テーブル１５が設けられている。データベース１４は、商品を購入した顧客（商品購入者）の情報とその顧客が購入した商品名やその価格などの商品情報を顧客別に管理しておくためのデータベースである。バーコード変換テーブル１５は、上述したレシート２３上に付加されたマイクロバーコード２４から読み取られる識別コードとその識別コードに対応したホームページのＵＲＬとを１対１に対応付けたテーブルであり、顧客のユーザ端末１６から識別コードが送られて送られたときに参照される。すなわち、ユーザ端末１６から識別コードが送られてくると、サーバ１３では、このバーコード変換テーブル１５を参照して当該識別コードに対応したＵＲＬを検索し、そのＵＲＬをユーザ端末１６に通知するといった変換サーバとしての機能も兼ねている。
【００３４】
ユーザ端末１６は、顧客が所有する端末装置であり、例えば携帯電話機、ＰＤＡ（Ｐｅｒｓｏｎａｌ　Ｄｉｇｉｔａｌ　Ａｓｓｉｓｔａｎｔ）などからなる。このユーザ端末１６には、インターネットを介してサーバ１３にアクセスし、そのサーバ１３が提供するホームページを閲覧可能な機能が搭載されている。
【００３５】
また、ユーザ端末１６に接続されるバーコードリーダ１７は、レシート２３上のマイクロバーコード２４を読み取るための専用リーダであって、例えば各店舗にて会員（つまりＩＤカード２１を持つ特別な顧客）に対してレンタルで提供されている。このバーコードリーダ１７にはサーバ１３にアクセスするための情報が予め設定されており、バーコードリーダ１７によってレシート２３上のマイクロバーコード２４を読み取りを行ったときに、ユーザ端末１６はサーバ１３に対して自動的に接続することができるようになっている。
【００３６】
図２は本システムに用いられるレシート２３の一例を示す図である。
【００３７】
顧客がレジにて商品の代金を支払うと、図示せぬレジスタに設けられたレシート発行機１２によって商品の種類とその金額が記入されたレシート２３が出力される。このレシート２３の素材としては例えば感熱紙が用いられ、その感熱紙の感熱面に商品の種類とその金額などの情報がレシート発行機１２内の図示せぬサーマルプリンタによって印刷されると共に、本システムで用いられるマイクロバーコード２４が印刷される。マイクロバーコード２４は、上述したように顧客別に商品の購入情報が掲載されたホームページにアクセスするためのアクセス情報であって、そのホームページのＵＲＬに対応した識別コードを表している。このマイクロバーコード２４は、レシート２３の所定の位置に印刷によって付加される。なお、図２の例では、レシート２３の最下部に付加されているが、このマイクロバーコード２４の位置は特に限定されるものではなく、例えば最上部などであっても良く、要は他の印刷部分と重ならない場所であれば良い。
【００３８】
また、このレシート２３には、顧客の商品購入金額に応じて与えられるポイント２５が印刷される。このポイント２５はポイントサービス用の点数を示すものであり、そのポイント数に応じて例えば商品の割引や景品などのサービスを受けることができる。
【００３９】
図３はサーバ１３によって提供される顧客別商品購入情報のホームページの一例を示す図である。
【００４０】
サーバ１３では、顧客別に商品の購入情報をデータベース１４にて管理しており、その購入情報を顧客別にホームページに掲載して提供するサービスを行っている。顧客の持つユーザ端末１６からこのホームページにアクセスすると、その顧客が購入した商品の種類とその価格などを閲覧することができ、また、必要に応じてこれらの情報をダウンロードすることができる。図３の例では、２００２年の６月２０日に「○○○ショップ」といった店舗で「雑誌８００円、飲料２０００円」を購入したことが示されている。また、現在のポイント数が「２０」ポイントであることが示されている。
【００４１】
次に、図４を参照しながら本システムの動作について詳しく説明する。
【００４２】
図４は本システムの処理の流れを説明するためのシーケンス図であり、左からユーザ端末１６、ＰＯＳ端末１１、サーバ１３の処理を示している。
【００４３】
本システムを利用する各顧客には、それぞれに固有のＩＤとその顧客の年齢、性別などのマーケティング用の情報が登録されたＩＤカード２１が配布されている。このＩＤカード２１は、全国の加盟店舗にて共通に使用でき、各店舗内で販売されている商品を購入する際に、このＩＤカード２１をレジに提示するものとする。
【００４４】
ここで、図４に示すように、各店舗に設置されたＰＯＳ端末１１は、まず、顧客がレジに提示したＩＤカード２１に記録された顧客情報の読取り処理を行う（ステップＳ１１）。具体的には、ＰＯＳ端末１１に図示せぬカードリーダが接続されており、このカードリーダを通じてＩＤカード２１に記録されたＩＤと共にその顧客の年齢も性別等の情報を顧客情報として読み取る。
【００４５】
また、ＰＯＳ端末１１は顧客が購入対象としてレジに提示した商品の情報の読取り処理を行う（ステップＳ１１）。これは、例えば商品のパーケージなどに商品名、価格などを表したバーコードを付けておき、これをＰＯＳ端末１１に接続されたバーコードリーダを通じて商品情報として読み取るものとする。
【００４６】
このようにしてＰＯＳ端末１１にて読み取られた顧客情報および商品情報はネットワークＮ１を介してサーバ１３に送られる（ステップＳ１３）。サーバ１３では、まず、これらの情報をその顧客のＩＤに基づいてデータベース１４に登録することで、顧客別に商品の購入情報を管理しておく。
【００４７】
続いて、サーバ１３は顧客が購入した商品やその商品の価格をホームページに載せて提供するべく、そのホームページにアクセスするためのＵＲＬを発生すると共に（ステップＳ１５）、そのＵＲＬに対応する所定桁数分の識別コード（バーコードデータ）を発生してＰＯＳ端末１１に送信する（ステップＳ１６，Ｓ１７）。また、サーバ１３は、上記ＰＯＳ端末１１から取得した顧客情報および商品情報に基づいて当該顧客用のホームページを作成し（ステップＳ１８）、そのホームページにアクセスするためのＵＲＬと識別コードを対応付けてバーコード変換テーブル１５に登録する（ステップＳ１９）。
【００４８】
一方、ＰＯＳ端末１１は、サーバ１３から送られて来た識別コード（バーコードデータ）を受信すると、レシート発行機１２を駆動制御することにより、レシート２３の所定の位置に上記識別コードを示したマイクロバーコード２４を付加して発行する（ステップＳ２０）。図２に示すように、このレシート２３は、顧客が代金を支払って購入した商品の種類とその金額などを印刷したものであり、レジにて購入商品と共に顧客（商品購入者）に手渡される。このレシート２３の所定の位置（ここでは最下部）にサーバ１３から送られてきた識別コードを示したマイクロバーコード２４が印刷されている。
【００４９】
なお、必要に応じて顧客の商品購入金額分のポイント２５をマイクロバーコード２４上に印刷するようにしても良い。このポイント２５は、そのポイント数に応じて割引等の何らかのサービスを実施する場合に用いられるものであるが、このようなポイントサービスを実施する場合には、例えばサーバ１３にて各顧客のポイント数をデータベース１４に登録しておくなどのポイント管理が必要となる。
【００５０】
マイクロバーコード２４を有するレシート２３がレジにて発行されると、顧客（商品購入者）はこのレシート２３を商品と共に受け取る（ステップＳ２１）。ここで、レシート２３に印刷されたマイクロバーコード２４は専用のバーコードリーダ１７を用いて読み取ることができる。
【００５１】
レシート２３を受け取った顧客は、自分の持つユーザ端末１６にバーコードリーダ１７を装着し、そのバーコードリーダ１７のセンサ部をレシート２３上のマイクロバーコード２４に押し当ててコード読取り操作を行う。これにより、マイクロバーコード２４で表された識別コード（コードデータ）が読み取られ（ステップＳ２２）、その識別コードがユーザ端末１６からサーバ１３に対してインターネットを介して転送される（ステップＳ２３）。この場合、予めバーコードリーダ１７にコード転送先としてサーバ１３が設定されている。したがって、顧客がコード転送先を設定するなどの面倒な操作を行うことなく、マイクロバーコード２４の読取り時にサーバ１３に自動的に接続して、バーコードリーダ１７によって読み取った識別コードを送ることができる。
【００５２】
サーバ１３では、ユーザ端末１６から送られてきた識別コードを受信すると、バーコード変換テーブル１５を参照して当該識別コードに対応したＵＲＬを検索し、そのＵＲＬをコード送信元であるユーザ端末１６に対して返信する（ステップＳ２５）。そして、ユーザ端末１６から上記ＵＲＬに基づいてサーバ１３にアクセスすると、サーバ１３ではユーザ端末１６の画面上に図３に示すようなホームページを表示させる（ステップＳ２６）。このホームページ上には、その顧客が購入した商品の種類とその価格などが掲載されている。
【００５３】
このように、本システムでは、各店舗にて顧客が何らかの商品を購入した際に、そのときの購入商品に関する情報をサーバ１３が提供しているホームページ上で確認することができ、また、必要に応じて当該商品の購入情報をダウンロードして家計簿の作成などに利用することができる。したがって、顧客が家計簿を付けるような場合に、従来のようにレシートを見ながら、そこに記入されている商品名や値段を家計簿帳に書き写すといったような面倒な作業は不要であり、顧客別に商品購入情報が掲載されたホームページにアクセスするだけで効率的に家計簿の作成を行うことができる。
【００５４】
また、このようなホームページへアクセスするための情報は、顧客がレジにて商品と共に受け取るレシート２３にバーコードの形態で付加されているため、バーコードリーダ１７を用いて読み取るだけの簡単な操作にてホームページにアクセスして、自分の購入した商品に関する情報を得ることができる。
【００５５】
一方、サーバ１３側では、ＰＯＳ端末１１から取得した顧客情報と商品情報をデータベース１４に登録しておくことで、例えば顧客の年齢別にどのような商品が売れているかなどのマーケティングを行うなど、これらの情報を販売促進に役立てることができる。
【００５６】
なお、上記実施形態では、レシート２３上にホームページのＵＲＬではなく、そのＵＲＬに対応した識別コードを表したマイクロバーコード２４を付加するようにしたが、これはＵＲＬのようにデータ量が多いと通常のバーコードでは対応できないことによるものである。この場合、例えば３次元バーコードなどを利用すれば、識別コードではなくＵＲＬを直接書き込んでおくことができるが、レシート２３上での限られた紙面スペースを考慮すると、データ量の少ない（コード桁数の少ない）識別データを書き込んでおく方が好ましい。また、このような識別コードを書き込んでおくようにすれば、例えばＵＲＬの変更があった場合などにも柔軟に対応することができる、といった利点がある。
【００５７】
また、上記実施形態では、サーバ１３がコード変換サーバとしての機能を兼ねるような構成としたが、このコード変換サーバをサーバ１３とは独立して設けるようにしても良い。その場合には、ユーザ端末１６がバーコードリーダ１７を通じてマイクロバーコード２４の識別コードを読み取ったときに、まず、ユーザ端末１６からコード変換サーバへアクセスして当該識別コードに対応したＵＲＬを取得した後、ユーザ端末１６からそのＵＲＬに基づいてサーバ１３が提供する顧客別商品高情報のホームページへアクセスするといった流れになる。このように、コード変換サーバを個別に有するシステムを構築した場合でも上記同様の効果が得られる。
【００５８】
要するに、本発明は上記実施形態に限定されるものではなく、実施段階ではその要旨を逸脱しない範囲で種々に変形することが可能である。
【００５９】
【発明の効果】
以上詳記したように本発明によれば、顧客が商品を購入した際に発行されるレシート上に顧客別商品購入情報を掲載したホームページにアクセスするための特定の情報を付加しておくようにしたため、顧客の端末装置から上記レシート上の特定の情報に基づいてホームページにアクセスすることにより、その顧客が購入した商品の購入情報を得ることができ、必要に応じて当該商品の購入情報をダウンロードして家計簿の作成などに利用できる。
【００６０】
一方、商品を販売する企業側では、顧客が商品を購入したときに、その顧客の情報とその顧客が購入した商品の情報を管理しておくようにしたため、顧客別に商品の販売状況を把握することができ、販売促進に役立てることができる。
【図面の簡単な説明】
【図１】本発明の一実施形態に係る商品の購入情報提供システムの構成を示す図。
【図２】上記商品の購入情報提供システムに用いられるレシートの一例を示す図。
【図３】上記商品の購入情報提供システムを構成するサーバによって提供される顧客別商品購入情報のホームページの一例を示す図。
【図４】上記商品の購入情報提供システムにおける処理の流れを説明するためのシーケンス図。
【符号の説明】
１１…ＰＯＳ端末
１２…レシート発行機
１３…サーバ
１４…データベース
１５…バーコード変換テーブル
１６…ユーザ端末
１７…バーコードリーダ
２１…ＩＤカード
２２…商品
２３…レシート
２４…マイクロバーコード
２５…ポイント
【図１】
2004054434.tif 000003
【図２】
2004054434.tif 000004
【図３】
2004054434.tif 000005
【図４】
2004054434.tif 000006